(57)【要約】      （修正有）【課題】丸い電球型のＬＥＤ電球を複数個、多種多様な形状で配置することにより、一まとまりの照明機器とした室内照明器を提供する。【解決手段】本体部と蓋部分とを有し、内側に複数のＬＥＤ電球を、下から見て少なくとも三方向、四方向、六方向、または八方向、正方形、六角形、八角形、円形のそれぞれの「型」になるように数個づつ普通の丸いＬＥＤ電球を設置して室内照明機器とする。また、内側に複数のＬＥＤ電球を下から見て少なくとも三角形、四角形、六角形、または八角形の頂点の位置に取り付けて天井吊り下げ式照明機器としても良い。さらには、白鳥座など星座形に該ＬＥＤ電球を配置しても良い。【選択図】図１−１
0003181126.tif 000002
【実用新案登録請求の範囲】
【考案の詳細な説明】
【技術分野】
【０００１】  本考案は照明器具（室内）の型とＬＥＤ電球の個数に関するものである．
【背景技術】
【０００２】  家庭などで６〜８畳．８〜１０畳．８〜１２畳．の部屋を十分に明るくする為に設計したＬＥＤ電球を数個使った新しい照明器具（室内用）である．
【考案の概要が解決しようとする課題】
【０００５】  現在までの室内照明器具よりは．経済２０％減．ＬＥＤ電球１個に
【０００６】  つき１．７倍の明るさです．
【０００７】  これに．かえれば．エコにつながる．
【課題を解決するための手段】
本考案は．ＬＥＤ照明器具本体自体に．数個のＬＥＤ電球を．室内のちょうどよい明るさにするために．組みあわせて一体化した．
【考案の効果】
ＬＥＤルックは．エコにつながり．社会的に電力の節約になり．又．放熱もすくないことから．地球の温暖化縮小につながることに役立つ．
【図面の簡単な説明】
【０００８】▲１▼イ．１．固定式側面図
２  〃  上を見あげ下から見た図．→中心  ３ヶ
外側  ５ヶ．
ロ．１．つりさげ式側面図．
固定式．
▲２▼イ．１．中心  １ヶ
次の外側  ５ヶ
３番目の外側の部分  ７ヶ．
ロ  つりさげ式．
２  同上．
３．つりさげ式      ８〜１２畳用      ８〜１０畳用      ６〜８畳用
１．八方式      １６ヶ＋１ヶ中心．    １０ヶ              ６ヶ
２  六角式          １８ヶ            １２ヶ              ６ヶ
３  三本式．        １８ヶ        イ．８ヶ〜ロ．１０ヶ    ６ヶ
【考案を実施する為の形態】
【０００９】  ＬＥＤ電球照明室内用器具本体の側面からの蓋板は．ネジで．開閉するが．その素材は．半透明強化ガラスか又は．半透明強化プラスティックです．開閉．つりさげ式にかかわりなく．数個のそれぞれのＬＥＤ電球及び．その本体が．中ゆれしないようにします．
又．ＬＥＤ電球は取り付け自在にしておく．
【実施例】
【００１０】以下．添付図面に従って．実施例を説明する．
（２）図面
▲１▼イ．天上に直接．固定式ＬＥＤ電球室内照明器具ＬＥＤルックをネジでとりつける
ロ．下から見上げた図
0003181126.tif 000003
つりさげ式．
0003181126.tif 000004
▲３▼つりさげ式下から見た図．
前頁の図の通りである【００１１】（前述）の１．５．６．７はＬＥＤ電球室内用照明器具で１の本体は５．６．７のつりさげ式と固定式となる【００１２】本考案の実施例は前述の如き構成からなるものであるから．
ＬＥＤ電球数個づつ決められた数の一つの照明室内用器具としてなり得るし．エコに通ずることが証明される．【００１３】１．ＬＥＤルック本体
２．    〃      蓋部分
３．    〃      ねじ
４  ＬＥＤ電球使用
５  つりさげ用式
６  固定式
７  つりさげ式コード
（１）明細書．
▲１▼今話題の明るさ１．７倍で．電気量２０％近くですむ、ＬＥＤ電気を（電球を）使った照明器具．６〜８畳用を考案しました。
▲２▼上の同じ．１０〜１２畳用ＬＥＤ照明器具。
▲３▼イ．固定型．
ロ．つりさげ型．
0003181126.tif 000005
0003181126.tif 000006
0003181126.tif 000007
【手続補正書】
【提出日】平成22年12月2日(2010.12.2)
【手続補正１】
【補正対象書類名】実用新案登録請求の範囲
【補正対象項目名】全文
【補正方法】追加
【補正の内容】
【実用新案登録請求の範囲】
【請求項１】
［０００１］
ＬＥＤルックという名称の実用新案登録室内、屋外照明器具の
0003181126.tif 000008
色４．９Ｗの消費電力で床面／机上面の照明効果が電球４０Ｗ形と同等）（４０，０００時間の長寿命）（コンパクトサイズ）（密閉照明器具に使用可能）のＮＥＷ  ＭＩＴＳＵＳＩＳＨＩ  ＯＳＲＡＭ三菱電気オ
0003181126.tif 000009
ＬＥＤ室内、屋外照明電球、ＬＥＤ電球ＮＥＷカタログは２０１０年１０月２０日（水）全面広告製品（日経新聞夕刊）参照。そのＬＥＤ電球を従来単品で使用するのを室内、屋外用は三方形３ヶ十字形４ヶ六方形６ヶ八方形８ヶ四角形４ヶ六角形６ヶ八角形８ヶその他
0003181126.tif 000010
天井にとめたり壁に取り付けたり、又は置き物形です。
・ＬＥＤ電球照明器具の使用数が従来１個（例外もでてくる、後の説明にて）私、北原知子の場合は最初の、後の方で述べた数を使用し６〜８畳用、８〜１０畳用、１０畳〜１２畳用、２４畳用、ホテル用（ロビーなどにも）広さに応じて
0003181126.tif 000011
（従来の２本以上の蛍光灯）のように充分明るくし朝、昼夕、夜に応じた適度な明るさに設計したものである。
・尚、朝、昼、夕、夜に応じ明るさ設定は声センサーにて、照明を点灯点減する。
・しかも、カバーは昼光色、スリガラス、ステンドグラス風、シャンデリア風に多種多様である。
0003181126.tif 000012
ＬＥＤ電球、シャンデリア式用無彩色、他用途に応じ彩色をつけた強
0003181126.tif 000013
あわせて製作する。
・尚、必要個数、配列の方式は図で表わす）
【手続補正２】
【補正対象書類名】明細書
【補正の内容】
0003181126.tif 000014
0003181126.tif 000015
0003181126.tif 000016
0003181126.tif 000017
0003181126.tif 000018
0003181126.tif 000019
0003181126.tif 000020
0003181126.tif 000021
0003181126.tif 000022
0003181126.tif 000023
0003181126.tif 000024
0003181126.tif 000025
0003181126.tif 000026
0003181126.tif 000027
0003181126.tif 000028
0003181126.tif 000029
0003181126.tif 000030
0003181126.tif 000031
0003181126.tif 000032
0003181126.tif 000033
0003181126.tif 000034
0003181126.tif 000035
0003181126.tif 000036
0003181126.tif 000037
0003181126.tif 000038
0003181126.tif 000039
0003181126.tif 000040
0003181126.tif 000041
0003181126.tif 000042
0003181126.tif 000043
0003181126.tif 000044
0003181126.tif 000045
0003181126.tif 000046
0003181126.tif 000047
0003181126.tif 000048
0003181126.tif 000049
0003181126.tif 000050
0003181126.tif 000051
0003181126.tif 000052
【手続補正書】
【提出日】平成23年3月23日(2011.3.23)
【手続補正１】
【補正対象書類名】実用新案登録請求の範囲
【補正対象項目名】全文
【補正方法】変更
【補正の内容】
【実用新案登録請求の範囲】
【請求項１】
１）多種多様ＬＥＤ電球室内外−照明機器をいい、
２）設置式、吊り下げ式、ステンドグラス式、シャンデリア式  壁掛け式、置型式と６種は北原知子自身のであり
３）ＬＥＤ電球パラトンのＮＥＷ一般電球形４．９Ｗ（口金：□２６）
0003181126.tif 000053
日立調光器対応形Ｅ２６口金タイプミニクリプトン電球
0003181126.tif 000054
４）これらの照明機器はそれぞれ声センサーで、スイッチが点滅するものを多種多様ＬＥＤ電球室内外−照明機器と発明する。
【手続補正２】
【補正対象書類名】明細書
【補正対象項目名】全文
【補正方法】変更
【補正の内容】
【考案の詳細な説明】
【０００１】本考案は多種多様ＬＥＤ電球をａソケットｂ、ＬＥＤ電球ｃコンセントｄコードｅコンセントうけソケットｆ  ＬＥＤ電球を順ちがいに数個組みあわせて組み立てた−室内外照明機器である。
【背景技術】
【０００２】一般家庭、旅館、ホテル、店々などにおいて、この照明機器をとりつける時エコの作用の近未来に多種多様ＬＥＤ電球室内外−照明機器は適している【０００３】多種多様ＬＥＤ電球を数個、数種、数列に組み合わせてエコなる室内外−照明機器を作り、使用する。
この場合スイッチは声センサーによる点滅となる。点灯する時は「つく」（段階をいう）（３段階の明るさに）とめるときは、「とめる」という（３段階で）【０００４】商品名称は「スターライト」とする
【考案が解決しようとする課題】
【０００５】従来の照明機器（ＬＥＤ電球で単品の以外）は、室内外の照明の消費電力量も多く、保持する時間数も、短く、私、北原知子発明のスターライトは電気量も少なく、保持時間数も長いので、エコにつながる。その故に、そういうわけで、次世代へとずっと従来のより電気消費量が少なくエコにつながるという問題点を解決している。
【考案を解決するための手段】
【０００６】本発明は数種多様のＬＥＤ電球をまとめて、−照明機器に組み合わせて使用することにより、室内外の照明をエコに通じる製品として、そのような機器としてとり扱かうことにより、従来の室内外照明機器となり得る。
【考案の効果】
【０００７】考案の効果は、といえば、従来の室内外の照明機器例えば、円形蛍光灯等々、他種類ありますが、ＬＥＤ電球をまとめて使用して−照明機器にしたので、その故に、電気量が少なくてすみ、持続時間数も長もちするという特徴をもつ、ＬＥＤ電球を使用することにより、エコ社会に役立つ効果を持つものである。
【図面の簡単な説明】
【０００８】
【図１】三方形、設置式、つり下げ式多種多様ＬＥＤ電球室内外−照明機器  ロ′ａ  つり下げ式、コード、  ｂ  ＬＥＤ電球  ｃ  コンセント  ｄ  コード  ｈ  コード  ｉ  コードカバー  ｇ  吊り下げソケット  ロ  ｅ  コンセント  ａ  ソケット  イ、正面図
【図２】四方形設置式多種多様ＬＥＤ室内外−照明機器  イ  正面図  １．声センサー、２円形はＬＥＤ電球  ロ、ａコンセント  ｂコンセントうけソケット、  ｃ  ｄ  吊り下げソケット  ｅ  コードカバー  ｆ  コード  その２、設置式  ａ  コンセント  ｂ  コンセントうけソケット  ｃ  コード  ｄ  声センサー、点滅用  ｅ、ビス
【図３】六方形設置式多種多様ＬＥＤ室内外−照明機器  イ、正面図  １、点滅用声センサー  ロ、ａ  コンセント  ｂ  コンセント受けソケット  ｃ  コード  ｄ  ソケット  ｅ  ビス
【図４】八角形設置式多種多様室内外−照明機器  イ、正面図、１、声センサー点滅用  ２円形はＬＥＤ電球  ロ、ａ  ソケット  ｂ  ＬＥＤ電球  ｃ  コンセント  ｄ  コード  ｅ  ビス
【図５】円形設置式多種多様室内外−照明機器  イ、正面図、１、声センサー点滅用  ２、円形はＬＥＤ電球  ロ  ａ  コンセント  ｂ  ソケット  ｃ  コンセント  ｄ  コード  ｅ  ビス  ｆ  ＬＥＤ電球
【図６】四角形  吊り下げ式多種多様室内外−照明機器  イ、正面図、１．声センサー点滅用  ２円形はＬＥＤ電球  ロ  ａ  コンセントうけソケット  ｂ  コンセント  ｃ  コード  ｄ  コード  ｅ  コードカバー  ｆ  吊り下げソケット
【図７】六角形設置式多種多様室内外−照明機器  イ、正面図  １  声センサー点滅用  ２  円形はＬＥＤ電球  ロ  ａ  ソケット  ｂ  コンセント  ｃ  コード  ｄ  コンセントうけソケット  ｅ  ＬＥＤ電球  ｆ  ビス
【図８】八角形設置式多種多様室内外−照明機器  イ、正面図である。  １は、センサー（声）点滅  円形はＬＥＤ電球  ロ  ａ  コンセントうけソケット  ｂ  コンセント  ｃ  コード  ｄ  ＬＥＤ電球
【図９】かに座ステンドグラス式設置形多種多様ＬＥＤ電球−照明機器  イ、正面図  １  声センサー点滅  ２  赤  ３  青  ４  黄  ５  オレンジ  ６  白光  ７→みどり  ８→みどり  ９→赤  １０→白  １１→オレンジ  １２→青  １３→白光  １４→青  １５→みどり  ａ  ソケット  ｂ  コンセントうけソケット  ｃ  コンセント  ｄ  コード  ｅ  ＬＥＤ電球
【図１０】はくちょう座設置式多種多様ＬＥＤ電球−室内外照明機器  イ、正面図  １．声センサー点滅  ロ  ａ  ソケット  ｂ  コンセント  ｃ  コード  ｄ  コンセントうけソケット  ｅ  ＬＥＤ電球  ｆ  ビス
【図１１】こと座設置式  イ  正面図  ３は声センサー点滅  ロ  ａ  ＬＥＤ電球  ｂ  ソケット  ｃ  コンセントうけソケット  ｄ  コンセント  ｅ  コード
【図１２】イ、かんむり座設置式多種多様ＬＥＤ電球−室内外照明機器  正面図  １、声センサー点滅  ロ  ａ  ＬＥＤ電球  ｂ  コード  ｃ  ソケット  ｄ  コンセントうけソケット  ｅ  コンセント  ｆ  コンセント
【図１３】
0003181126.tif 000055
【図１４】すずらん形かべとり付け多種多様−室内外ＬＥＤ電球照明機器  イ、側面図  １かべかけソケット、２声センサー点滅、  ＬＥＤ電球  ａ  中にコード  ｂ  ソケット  ｃ  コンセントうけソケット．  ｄ  コンセント  ロ  ａ  ＬＥＤ電球  ｂ  外側すずらん形カバー  ｃ  とりつけソケット  ｄ  コード入り管．  １  かへかけソケット  ２  声センサー点滅器
【図１５】ふたご座設置式多種多様−室内外ＬＥＤ電球照明機器  イ、正面図  声センサー点滅．  ○印、ＬＥＤ電球．  ロ  ａ  ソケット  ｂ  ＬＥＤ電球うけソケット  ｃ  コンセント．  ｄ  コンセントうけソケット  ｅ  ＬＥＤ電球  ｆ．コード．
【図１６】
0003181126.tif 000056
【図１７】
0003181126.tif 000057
【手続補正３】
【補正対象書類名】図面
【補正対象項目名】全図
【補正方法】変更
【補正の内容】
【図１−１】
0003181126.tif 000058
【図１−２】
0003181126.tif 000059
【図２−１】
0003181126.tif 000060
【図２−２】
0003181126.tif 000061
【図３】
0003181126.tif 000062
【図４】
0003181126.tif 000063
【図５】
0003181126.tif 000064
【図６】
0003181126.tif 000065
【図７】
0003181126.tif 000066
【図８】
0003181126.tif 000067
【図９】
0003181126.tif 000068
【図１０】
0003181126.tif 000069
【図１１】
0003181126.tif 000070
【図１２】
0003181126.tif 000071
【図１３】
0003181126.tif 000072
【図１４】
0003181126.tif 000073
【図１５】
0003181126.tif 000074
【図１６】
0003181126.tif 000075
【図１７】
0003181126.tif 000076
【図１８】
0003181126.tif 000077
【図１９】
0003181126.tif 000078
【手続補正書】
【提出日】平成23年7月19日(2011.7.19)
【手続補正１】
【補正対象書類名】実用新案登録請求の範囲
【補正対象項目名】全文
【補正方法】追加
【補正の内容】
【実用新案登録請求の範囲】
【請求項１】
１）多種多様ＬＥＤ電球室内外照明機器スターライトという室内外のサークラインに替わる新時代のエコ照明器具のあかりとりで、
２）設置式、吊り下げ式、ステンドグラス式、シャンデリア式、壁掛け式、置型式の６種の１）のようなスターライトと命名したあかりとりで、
３）ＬＥＤ電球パラトンのＮＥＷ一般電球形４．９Ｗ（口金：口−２６）シャンデリア式４Ｗ（口金：口７）ＣＬＡＳＳｉＰ（口金：口１７）と日立調光器対応形Ｅ２６口金タイプミニクリプトン電球形Ｅ１７口金タイプの多種多様照明機器に使用のスターライトという命うった室内外の電灯で、
４）これら以上の照明機器は、コード、ソケット、電源、ＬＥＤ電球、コンセントの、ガラス、ｏｒもしくは、強化プラスティック、又は、強化グラスとの組み合わせによる製品である多種多様ＬＥＤ電球室内外−照明機器。
【手続補正２】
【補正対象書類名】明細書
【補正対象項目名】全文
【補正方法】変更
【補正の内容】
【考案の詳細な説明】
【技術分野】
【０００１】本考案は、多種多様のＬＥＤ電球を、電気コード、ソケット、電源、コンセント、それらをひとまとめにして、あかりとりにする組み合わせて、照明に使用する−室内外照明機器で、現在から、将来に向けてのエコにつながる製品である。
【技術背景】
【０００２】一般家庭、旅館、ホテル、店、外灯、等において、スターライトをとりつける時、エコ作用の、近未来、多種多様ＬＥＤ電球−室内外照明機器は適している。
【０００３】多種多様ＬＥＤ電球を数個づつ、数種、数列に組み合わせ、電気コード、ソケット、電源、コンセント、外側のガラス、もしくは強化プラスチック、強化グラスとの組みあわせ機器を作製し、この場合、スイッチは声センサーによる点滅となる。くわしくは〔０００８〕で。
【０００４】発明の商品名称を〔スターライト〕とする
【考案が解決しようとする課題】
【０００５】従来の室内外照明機器は室内外の消費電力量も、保持している時間数も短く、新発明ではこの機器は、消費電気量が少なく、とり替える手間もそういらず、つまり時間数も長いので、近未来に有望な使用価値の高い製品である。つまり、エコにつながります。労働負担が少ない。従って、今までのサークライン円形蛍光灯等々の−室内外照明機器より、電気消費量が少なく、現状況の発電装置の不足している東日本大震災後の今、まさに必要とする需要、供給に適している。次世代へとエコにつながるという問題点を解決する。
【考案を解決するための手段】
【０００６】本発明は多種多様の数種のＬＥＤ電球をくみあわせて、まとめて−照明機器として組みあわせて、他の前々文章中に示した素材とくみあわせて、製品化することにより、時代の流れで、その照明機器（くみあわせた）として取り扱うことにより、従来のよりエコの室内外照明機器となり得る
【考案の効果】
【０００７】考案の効果はといえば、従来の室内外の照明機器、例えば、円形蛍光灯等々、多種類ありますが、ＬＥＤ電球を、組みあわせて製品化すると、その故に、でん気量が少なくてすみ、持続使用時間数も長もちするという特徴をもつ、エコ社会をつくる役に立つ効果を持つものである。
【図面の簡単な説明】
【０００８】
【図１】三方形ＬＥＤ多種多様電球室内外照明機器
【図２】四方形            〃
【図３】六方形            〃
【図４】八方形            〃
【図５】円形              〃
【図６】四角形            〃
【図７】六角形            〃
【図８】八角形            〃
【図９】星座かに座ステンドグラス式多種多様ＬＥＤ電球室内−照明機器
【図１０】はくちょう座    〃
【図１１】こと座          〃
【図１２】さそり座        〃
【図１３】おひつじ座      〃
【図１４】かんむり座      〃
【図１５】ふたご座        〃
【図１６】おゝくま座とこぐま座  〃
【図１７】おとめ座              〃
【図１８】壁掛式すずらん形多種多様ＬＥＤ電球室内外−照明機器
【図１９】雪の六角形結晶形多種多様ＬＥＤ電球室内外−照明機器
【図２０】置形式立体スワン多種多様ＬＥＤ電球室内外−照明機器  〔図１〕三方形、設置式、吊り下げ式多種多様ＬＥＤ電球室内外−照明機器。イ、下から見上げた正面図。円形は、ＬＥＤ電球４．９Ｗ３方向に１つづつ。そして四角中央の１ｈは声センサースイッチ点滅器である。ロ、ｇは吊り下げ式のときの吊り下げソケット。ｆは設置式のビス。ハ、ａからｇまでのつなぎ方である。左からａ、ｂ、ｅ、ｃ、ｄ、ｃ、ｅ、ａ、ｂ、ｅ、ｃ、ｄ、ｃ、ｅ、ｂ、ａ、となる。〔図２〕四方形設置式、吊り下げ式以下同上。イ、〔図１〕と同じ、４方向に１つづつ。〔図１〕と同じ。ロ、〔図１〕のハのようにつづけて、４方向をつなげる。ハ、ｆのビス。吊り下げ式は吊り下げソケットでとりつけ、とりはずしする。〔図３〕六方形以下同文。〔図２〕のイのようにこれは、６方形で６方向に１つづつ。〔図１〕のハのようにつづけて、中央でコードでわたす。〔図４〕八方形以下同文。〔図２〕のイのようにし、これは八方形で８方向に１つづつ。〔図１〕のハのようにつづけて、中央でコードでわたす。〔図５〕円形以下同文。〔図２〕のイのようにし、これは円形で等間隔に６つ。〔図１〕のハのようにつづけて、円形にコードで渡して点滅するようにする。〔図６〕四角形以下同文。〔図２〕のイのようにし、これは四角形でまわりに９こ。〔図１〕のハのようにつづけて、コードでわたす。〔図７〕六角形以下同文。イ、〔図２〕のイのようにし、これは六角形で角ごとに１つづつ。計６ヶ。ロ、〔図１〕のハのようにつづけて、コードでわたす。〔図８〕正八角形設置式、吊り下げ式以下同文。イ〔図２〕のようにし、これは、八角形で角ごとに１つづつ、計８ヶ。ロ〔図１〕の説明のようにつなげて、コードでわたす。〔図９〕かに座ステンドグラス式多種多様ＬＥＤ電球室内外−照明機器。イ、〔図９〕はかにの部分に色々な色のガラスを使い、ステンドグラス風にする。ロ〔図１〕の説明のようにつなげて、コードでわたす。〔図１０〕はくちょう座多種多様ＬＥＤ電球室内外−照明機器。イ、５ヶのＬＥＤ電球を使用。上記の図のように〔図９〕のようにつなげる。ロ、図１のようにつなげてコードでわたす。〔図１１〕〔図１２〕〔図１３〕〔図１４〕〔図１５〕〔図１６〕〔図１７〕〔図１８〕〔図１９〕以上は、今までの説明と同じようにつくる。〔図２０〕置形式立体スワン多種多様ＬＥＤ室内外−照明機器。イ、は、置形式立体スワンを強化ガラスで作製し、中に、ビスで接着剤でとめ、ＬＥＤ電球を、ａからｈまでの素材で、ともるようにつなげる。充電式でもある。ロはＬＥＤ電球の位置。
【手続補正３】
【補正対象書類名】図面
【補正対象項目名】全図
【補正方法】変更
【補正の内容】
【図１−１】
0003181126.tif 000079
【図１−２】
0003181126.tif 000080
【図２−１】
0003181126.tif 000081
【図２−２】
0003181126.tif 000082
【図３−１】
0003181126.tif 000083
【図３−２】
0003181126.tif 000084
【図４−１】
0003181126.tif 000085
【図４−２】
0003181126.tif 000086
【図５−１】
0003181126.tif 000087
【図５−２】
0003181126.tif 000088
【図６−１】
0003181126.tif 000089
【図６−２】
0003181126.tif 000090
【図７−１】
0003181126.tif 000091
【図７−２】
0003181126.tif 000092
【図８−１】
0003181126.tif 000093
【図８−２】
0003181126.tif 000094
【図９−１】
0003181126.tif 000095
【図９−２】
0003181126.tif 000096
【図１０】
0003181126.tif 000097
【図１１】
0003181126.tif 000098
【図１２】
0003181126.tif 000099
【図１３】
0003181126.tif 000100
【図１４】
0003181126.tif 000101
【図１５】
0003181126.tif 000102
【図１６】
0003181126.tif 000103
【図１７】
0003181126.tif 000104
【図１８】
0003181126.tif 000105
【図１９】
0003181126.tif 000106
【図２０】
0003181126.tif 000107
0003181126.tif 000108
0003181126.tif 000109
【手続補正書】
【提出日】平成23年9月28日(2011.9.28)
【手続補正１】
【補正対象書類名】実用新案登録請求の範囲
【補正対象項目名】全文
【補正方法】変更
【補正の内容】
【実用新案登録請求の範囲】
【請求項１】
［１］多種多様ＬＥＤ電球室内外照明機器は、室内外の円形蛍光灯に替わる新時代のエコの照明器具の電灯で、
［２］設置式、吊り下げ式、ステンドグラス式、壁掛け式、置型式の５種類のようなＬＥＤ電球室内外証明機器としての電灯で、
［３］ＬＥＤ電球パラトンのＮＥＷ一般電球型４．９Ｗ（口金：口２６）を使用したＬＥＤ電球室内外照明機器として作られた電灯で、
［４］これら以上の照明機器は、コード、ソケット、電源、ＬＥＤ電球、コンセント、プラグ、ガラス、すりガラスもしくは強化プラスティック、又は強化ガラスとの組み合わせによる配線造形の多種多様ＬＥＤ電球室内外照明機器製品である。
［５］これを、サンライト、サンサン、スターシャイン、フラワーライトすずらん、白鳥置型ライトと名うつ。
【手続補正２】
【補正対象書類名】明細書
【補正の内容】
0003181126.tif 000110
0003181126.tif 000111
0003181126.tif 000112
0003181126.tif 000113
【手続補正書】
【提出日】平成23年10月6日(2011.10.6)
【手続補正１】
【補正対象書類名】実用新案登録請求の範囲
【補正対象項目名】全文
【補正方法】追加
【補正の内容】
【実用新案登録請求の範囲】
【請求項１】
［１］多種多様ＬＥＤ電球室内外照明機器は、室内外の円形蛍光灯に替わる新時代のエコの照明器具の電灯で、
［２］設置式、吊り下げ式、ステンドグラス式、壁掛け式、置型式の５種類のようなＬＥＤ電球室内外証明機器としての電灯で、
［３］ＬＥＤ電球パラトンのＮＥＷ一般電球型４．９Ｗ（口金：口２６）を使用したＬＥＤ電球室内外照明機器として作られた電灯で、
［４］これら以上の照明機器は、コード、ソケット、電源、ＬＥＤ電球、コンセント、プラグ、ガラス、すりガラスもしくは強化プラスティック、又は強化ガラスとの組み合わせによる配線造形の多種多様ＬＥＤ電球室内外照明機器製品である。
［５］これを、設置式、吊り下げ式、ステンドグラス式、壁掛け式、置型式、吊り下げ式と名うつ。
0003181126.tif 000114
0003181126.tif 000115
0003181126.tif 000116
0003181126.tif 000117
【手続補正書】
【提出日】平成23年12月9日(2011.12.9)
【手続補正１】
【補正対象書類名】実用新案登録請求の範囲
【補正対象項目名】全文
【補正方法】追加
【補正の内容】
【実用新案登録請求の範囲】
【請求項１】
（１）設置式はビスで本体とカバーを止めて、灯りに普通の丸い電球形を素材とした多多様ＬＥＤ電球室内外照明機器を特徴とする電灯である。
（２）普通の丸い電球形のＬＥＤ電球４．９Ｗ（口金：ロ２６）を使用した多種多様ＬＥＤ電球室内外照明機器として製作された電灯である。
（３）これら以上の普通の丸い電球形の多種多様ＬＥＤ電球室内外照明機器は、コード、ソケット、電源、普通の丸い電球形のＬＥＤ電球、コンセント、プラグの組み合わせによる配線造形の電灯である。
（４）更に、ガラス、すりガラスもしくは強化プラスティック、又は強化ガラスを素材とした笠の普通の丸い電球形のＬＥＤ電球を使用した電灯である。
（５）これらの物品の具体的な形状・構造を示すと、この考案の設置式の場合、天上に直にビスで止める方式の三方向、四方向、六方向、八方向、正方形、六角形、八角形、円形、雪の結晶型の灯りに普通の丸い多種多様ＬＥＤ電球室内外照明機器を特徴とする電灯である。
【請求項２】
（１）吊り下げ式の場合は、吊り下げソケットとコードで多種多様ＬＥＤ電球室内外照明機器をぶら下げたものである。
（２）この物品の具体的な形状・構造を示すと、この考案は吊り下げ型三方向、四方向、六方向、八方向、正方形、六角形、八角形、円形、雪の結晶型の灯りに普通の丸い多種多様ＬＥＤ電球室内外照明機器である。
【請求項３】
（１）この普通の丸い電球形のＬＥＤ電球を使用したこの考案は、本体とステンドグラス式のカバーをビスで天井に止める普通の丸い電球形の多種多様ＬＥＤ電球室内外照明機器である。
（２）ステンドグラス式星座形の多種多様ＬＥＤ電球室内外照明機器は、かに座型、白鳥座型、さそり座型、こと座型、羊座型、ふたご座型、乙女座型、小熊座・大熊座型、かんむり座型の普通の丸い電球形の多種多様ＬＥＤ電球室内外照明機器である。
【請求項４】
（１）この普通の丸い電球形のＬＥＤ電球を使用した多種多様ＬＥＤ電球室内外照明機器の具体的な形状・構造を示すと、この考案は、壁掛け式の金属の管で外側を作り、スズランの花の部分に普通の丸い電球形のＬＥＤ電球を使用してコードやソケットを使い、スズラン型のカバーで三段に構造をスズラン型にした多種多様ＬＥＤ電球室内外照明機器である。
【請求項５】
（１）立体置き型式は立体白鳥形の置き型の普通の丸い電球形のＬＥＤ電球を使用した多種多様ＬＥＤ電球室内外照明機器である。
【手続補正２】
【補正対象書類名】手続補正書
【補正対象項目名】手続補正２
【補正方法】削除
【補正の内容】
【手続補正３】
【補正対象書類名】明細書
【補正対象項目名】全文
【補正方法】変更
【補正の内容】
【考案の詳細な説明】
【技術分野】
【０００１】本考案は普通の丸い電球形のＬＥＤ電球を数個組み合わせて組み立てた多種多様ＬＥＤ電球室内外照明器具である。
例えば、設置式について一例を挙げて説明すると、
（正方形設置式について説明すると）
まず、電源、コード、プラグ、コードで繋がっていて銅板に接しているコンセント、（普通の丸い電球形のＬＥＤ電球、ソケット、電源コンセント、電源プラグ、電源コード、電源へ）、コードで繋がっていて銅板に接しているコンセント、プラグ、コード、プラグ、コードで繋がっていて銅板に接しているコンセント、（普通の丸い電球形のＬＥＤ電球、ソケット、電源コンセント、電源プラグ、電源コード、電源へ）、コードで繋がっていて銅板に接しているコンセント、プラグ、コード、プラグ、コードで繋がっていて銅板に接しているコンセント、（普通の丸い電球形のＬＥＤ電球、ソケット、電源コンセント、電源プラグ、電源コード、電源へ）、コードで繋がっていて銅板に接しているコンセント、プラグ、コード、コードで繋がっていて銅板に接しているコンセント、プラグ、（普通の丸い電球形のＬＥＤ電球、ソケット、電源コンセント、電源プラグ、電源コード、電源と部品を正方形に普通の丸い電球形のＬＥＤ電球が位置するように並べる。又、声センサーで点灯点滅。本体の四方をビスで設置し、カバーをカチンと止めたりはずせたりできるように作る。【０００２】例えば、どの方式でも原理は同じですが、三方向の吊り下げ式ので説明すると、
イ）まず電源、コード、プラグ、コードで繋がっていて銅板に接しているコンセント、（普通の丸い電球形のＬＥＤ電球、ソケット、電源コンセント、電源プラグ、電源コード、電源へ）、コードで繋がっていて銅板に接しているコンセント、プラグ、コード、プラグ、コンセント、（普通の丸い電球形のＬＥＤ電球、ソケット、電源コンセント、電源プラグ、電源コード、電源へ）、コードで繋がっていて銅板に接しているコンセント、プラグ、コード、プラグ、コードで繋がっていて銅板に接しているコンセント、（普通の丸い電球形のＬＥＤ電球、ソケット、電源コンセント、電源プラグ、電源コード、電源へ）、コードで繋がっていて銅板に接しているコンセント、プラグ、コード、電源と三方向に部品をそれぞれ順に横に、又（    ）内は縦に繋げて声センサーにより点灯点滅させる。
ロ）まず（イ）の最初の電源に繋げるのに上部の中心で、吊り下げソケットにそなえ、最後の電源へもコードに吊り下げソケットに繋げて天井の電線に繋げて吊り下げソケットを完成させる。【０００３】また次に、ステンドグラス式について一例を挙げて説明すると、（星座の中から選んだ）乙女座について説明してみると、だいたい次のようにする。
顔は白、服はオレンジ・黄・赤・緑、髪は黄、目は青、口は赤、鼻・眉は黒い筋にする。配線、普通の丸い電球形のＬＥＤ電球などの全部品は前の（１）、（２）と同じように並べ組み立てる。本体はビスで留め、カバーはカチンと取り外しできるように作る。【０００４】この次は、壁掛け式すずらんについて説明すると、
▲１▼壁、▲２▼コード、▲３▼ソケット、▲４▼普通の丸い電球形のＬＥＤ電球、▲５▼金属管に包まれたコード、▲６▼ソケット、▲７▼普通の丸い電球形のＬＥＤ電球、それぞれにすずらん型の強化プラスティック又は強化スリガラス、強化曇りガラス、強化ガラス製電灯すずらん花形の笠を組み立てて作製する。【０００５】最後に、置き型について説明すると、この場合は白鳥の立体型の中の空洞に普通の丸い電球形のＬＥＤ電球を使用し、これまでの吊り下げ式、設置式、ステンドグラス式のように順に部品を横に繋げて製作し、（普通の丸い電球形のＬＥＤ電球、ソケット、電源コンセント、電源プラグ、電源コード、電源へ）内は縦に繋げて電源に繋げ、声センサーで点灯点滅する。【０００６】ＬＥＤ電球１ヶ４．９Ｗのを各々個数○印の所にそなえつけて、約１／８の消費電  力量に設定した普通の丸い電球形の多種多様ＬＥＤ電球室内外照明機器で、例えば、三方向の本体を三方向に分岐したカバーガラスもしくはカバー強化ガラスでおおう、先端に普通の丸い電球形の多種多様ＬＥＤ電球室内外照明機器で電球４．９Ｗを三方向に１ヶづつ取り付けて作る普通の丸い電球形の多種多様ＬＥＤ電球室内外照明機器であるし、他のも同様に作製する。【０００７】本考案の商品の名称は、設置型はスターライト、吊り下げ型はサンサン、ステンドグラス式星座型はシャインスター、すずらん型壁掛け式はフラワーすずらんライト、白鳥置型式は立体白鳥ライトと名うった普通の丸い電球形の多種多様ＬＥＤ電球室内外照明機器である。
２．考案の詳細な説明【０００８】この考案は、パネルに吊り下げ型三方向、４方向、６方向、８方向、正方形、六角形、八角形、雪の結晶型、設置式星座数種、すずらん型壁掛け式、白鳥置型式など約２０種と、２にあるように各々の必要な部品を取り付けた普通の丸い電球形の多種多様ＬＥＤ電球室内外照明機器に関するものである。
従来、円形蛍光灯、長形蛍光灯、電球蛍光灯はあるが、耐久性と消費電力量がかかり、この発明の実用新案はその欠点を除くためのそういう性質を持ちえた普通の丸い電球形のＬＥＤ電球である。
【図面の簡単な説明】
【０００９】
【図１】三方形ＬＥＤ多種多様電球室内外照明機器
【図２】四方形            〃
【図３】六方形            〃
【図４】八方形            〃
【図５】円形              〃
【図６】四角形            〃
【図７】六角形            〃
【図８】八角形            〃
【図９】星座かに座ステンドグラス式多種多様ＬＥＤ電球室内−照明機器
【図１０】はくちょう座      〃
【図１１】こと座            〃
【図１２】さそり座          〃
【図１３】おひつじ座        〃
【図１４】かんむり座        〃
【図１５】ふたご座          〃
【図１６】おゝくま座とこぐま座  〃
【図１７】おとめ座              〃
【図１８】壁掛式すずらん形多種多様ＬＥＤ電球室内外−照明機器
【図１９】雪の六角形結晶形多種多様ＬＥＤ電球室内外−照明機器
【図２０】置形式立体スワン多種多様ＬＥＤ電球室内外−照明機器  〔図１〕三方形、設置式、吊り下げ式多種多様ＬＥＤ電球室内外−照明機器。イ、下から見上げた正面図。円形は、ＬＥＤ電球４．９Ｗ３方向に１つづつ。そして四角中央の１ｈは声センサースイッチ点滅器である。ロ、ｇは吊り下げ式のときの吊り下げソケット。ｆは設置式のビス。ハ、ａからｇまでのつなぎ方である。左からａ、ｂ、ｅ、ｃ、ｄ、ｃ、ｅ、ａ、ｂ、ｅ、ｃ、ｄ、ｃ、ｅ、ｂ、ａ、となる。〔図２〕四方形設置式、吊り下げ式以下同上。イ、〔図１〕と同じ、４方向に１つづつ。〔図１〕と同じ。ロ、〔図１〕のハのようにつづけて、４方向をつなげる。ハ、ｆのビス。吊り下げ式は吊り下げソケットでとりつけ、とりはずしする。〔図３〕六方形以下同文。〔図２〕のイのようにこれは、６方形で６方向に１つづつ。〔図１〕のハのようにつづけて、中央でコードでわたす。〔図４〕八方形以下同文。〔図２〕のイのようにし、これは八方形で８方向に１つづつ。〔図１〕のハのようにつづけて、中央でコードでわたす。〔図５〕円形以下同文。〔図２〕のイのようにし、これは円形で等間隔に６つ。〔図１〕のハのようにつづけて、円形にコードで渡して点滅するようにする。〔図６〕四角形以下同文。〔図２〕のイのようにし、これは四角形でまわりに９こ。〔図１〕のハのようにつづけて、コードでわたす。〔図７〕六角形以下同文。イ、〔図２〕のイのようにし、これは六角形で角ごとに１つづつ。計６ヶ。ロ、〔図１〕のハのようにつづけて、コードでわたす。〔図８〕正八角形設置式、吊り下げ式以下同文。イ〔図２〕のようにし、これは、八角形で角ごとに１つづつ、計８ヶ。ロ〔図１〕の説明のようにつなげて、コードでわたす。〔図９〕かに座ステンドグラス式多種多様ＬＥＤ電球室内外−照明機器。イ、〔図９〕はかにの部分に色々な色のガラスを使い、ステンドグラス風にする。ロ〔図１〕の説明のようにつなげて、コードでわたす。〔図１０〕はくちょう座多種多様ＬＥＤ電球室内外−照明機器。イ、５ヶのＬＥＤ電球を使用。上記の図のように〔図９〕のようにつなげる。ロ、図１のようにつなげてコードでわたす。〔図１１〕〔図１２〕〔図１３〕〔図１４〕〔図１５〕〔図１６〕〔図１７〕〔図１８〕〔図１９〕以上は、今までの説明と同じようにつくる。〔図２０〕置形式立体スワン多種多様ＬＥＤ室内外−照明機器。イ、は、置形式立体スワンを強化ガラスで作製し、中に、ビスで接着剤でとめ、ＬＥＤ電球を、ａからｈまでの素材で、ともるようにつなげる。充電式でもある。ロはＬＥＤ電球の位置。
【００１０】本案はこれを使用するとき、言葉で「点灯」「点滅」と言うと声センサーの働き（電子機器部品）により、この普通の丸い電球形の多種多様ＬＥＤ電球室内外−照明機器は作用する。
声センサーは点灯点滅という人の声を理解判断して、声センサーの記憶装置に反応し、電気で伝わって＋極、−極の各＋極側、−極側につき点灯点滅する仕組みである。
【手続補正書】
【提出日】平成24年2月28日(2012.2.28)
【手続補正１】
【補正対象書類名】実用新案登録請求の範囲
【補正対象項目名】全文
【補正方法】変更
【補正の内容】
【実用新案登録請求の範囲】
【請求項１】
設置式は本体部と蓋部分とを有し、内側に複数のＬＥＤ電球を、下から見て少なくとも三方向、四方向、六方向、または八方向、正方形、六角形、八角形、円形、雪の結晶形の灯りに数個づつ普通の丸い多種多様ＬＥＤ電球を設置した室内外照明機器。
【請求項２】
本体部と蓋部分とを有し、内側に複数のＬＥＤ電球を下から見て少なくとも三角形、四角形、六角形、または八角形の頂点の位置に取り付けた天井吊り下げ式照明器具。
【請求項３】
この普通の丸い電球形のＬＥＤ電球を使用したこの考案は、本体とステンドグラス式のカバーをビスで天井に留める普通の丸い電球形の多種多様ＬＥＤ電球を例えばステンドグラス式星座形の蟹座型、白鳥座型、さそり座型、こと座型、羊座型、ふたご座型、乙女座型、小熊座型、大熊座型、かんむり座型の内側に星の位置に取り付けた星座型式照明器具。
【請求項４】
壁式の本体は金属の管で、大中小のスズランの花の形のグラスの外側を繋げ、各一個ずつ普通の丸いＬＥＤ電球を使用して三段切り替えスイッチ構造にした多種多様ＬＥＤ電球照明器具。
【請求項５】
本体部は立体白鳥形の中に、普通の丸いＬＥＤ電球を数個使用した立体置き型式照明器具。
【手続補正書】
【提出日】平成24年5月31日(2012.5.31)
【手続補正１】
【補正対象書類名】実用新案登録請求の範囲
【補正対象項目名】全文
【補正方法】追加
【補正の内容】
【実用新案登録請求の範囲】
【請求項１】
設置式は本体部と蓋部分とを有し、内側に複数のＬＥＤ電球を、下から見て少なくとも三方向、四方向、六方向、または八方向、正方形、六角形、八角形、円形の灯りに数個づつ普通の丸いＬＥＤ電球を設置した室内照明機器。
【請求項２】
本体部と蓋部分とを有し、内側に複数のＬＥＤ電球を下から見て少なくとも三角形、四角形、六角形、または八角形の頂点の位置に取り付けた天井吊り下げ式照明器具。
【請求項３】
この普通の丸い電球形のＬＥＤ電球を使用したこの考案は、本体とステンドグラス式のカバーをビスで天井に留める普通の丸い電球形の多種多様ＬＥＤ電球を例えばステンドグラス式星座形の蟹座型、白鳥座型、さそり座型、こと座型、羊座型、ふたご座型、乙女座型、小熊座型、大熊座型、かんむり座型の内側に星の位置に取り付けた星座型式照明器具。
【請求項４】
壁式の本体は金属の管で、大中小のスズランの花の形のグラスの外側を繋げ、各一個ずつ普通の丸いＬＥＤ電球を使用して三段切り替えスイッチ構造にした多種多様ＬＥＤ電球照明器具。
【請求項５】
本体部は立体白鳥形の中に、普通の丸いＬＥＤ電球を数個使用した立体置き型式照明器具。
【手続補正書】
【提出日】平成24年7月23日(2012.7.23)
【手続補正１】
【補正対象書類名】実用新案登録請求の範囲
【補正対象項目名】全文
【補正方法】追加
【補正の内容】
【実用新案登録請求の範囲】
【請求項１】
設置式は本体部と蓋部分とを有し、内側に複数のＬＥＤ電球を、下から見て少なくとも三方向、四方向、六方向、または八方向、正方形、六角形、八角形、円形の灯りに数個づつ普通の丸いＬＥＤ電球を設置した室内照明機器。
【請求項２】
本体部と蓋部分とを有し、内側に複数のＬＥＤ電球を下から見て少なくとも三角形、四角形、六角形、または八角形の頂点の位置に取り付けた天井吊り下げ式照明器具。
【請求項３】
この普通の丸い電球形のＬＥＤ電球を使用したこの考案は、本体とステンドグラス式のカバーをビスで天井に留める普通の丸い電球形の多種多様ＬＥＤ電球を例えばステンドグラス式星座形の蟹座型、白鳥座型、さそり座型、こと座型、羊座型、ふたご座型、乙女座型、小熊座型、大熊座型、かんむり座型の内側に星の位置に取り付けた星座型式照明器具。
【請求項４】
壁式の本体は金属の管で、大中小のスズランの花の形のグラスの外側を繋げ、各一個ずつ普通の丸いＬＥＤ電球を使用して三段切り替えスイッチ構造にした多種多様ＬＥＤ電球照明器具。
【請求項５】
本体部は立体白鳥形の中に、普通の丸いＬＥＤ電球を数個使用した立体置き型式照明器具。
【手続補正書】
【提出日】平成24年10月22日(2012.10.22)
【手続補正１】
【補正対象書類名】実用新案登録請求の範囲
【補正対象項目名】全文
【補正方法】変更
【補正の内容】
【実用新案登録請求の範囲】
【請求項１】
本体部と蓋部分とを有し、内側に複数のＬＥＤ電球を、下から見て少なくとも三方向、四方向、六方向、または八方向、正方形、六角形、八角形、円形の灯りに数個づつ普通の丸いＬＥＤ電球を設置した室内照明機器。
【請求項２】
本体部と蓋部分とを有し、内側に複数のＬＥＤ電球を下から見て少なくとも三角形、四角形、六角形、または八角形の頂点の位置に取り付けた天井吊り下げ式照明器具。
【請求項３】
この普通の丸い電球形のＬＥＤ電球を使用したこの考案は、本体とステンドグラス式のカバーをビスで天井に留める普通の丸い電球形の多種多様ＬＥＤ電球を例えばステンドグラス式星座形の蟹座型、白鳥座型、さそり座型、こと座型、羊座型、ふたご座型、乙女座型、小熊座型、大熊座型、かんむり座型の内側に星の位置に取り付けた星座型式照明器具。
【請求項４】
壁式の本体は金属の管で、大中小のスズランの花の形のグラスの外側を繋げ、各一個ずつ普通の丸いＬＥＤ電球を使用して三段切り替えスイッチ構造にした多種多様ＬＥＤ電球照明器具。
【請求項５】
本体部は立体白鳥形の中に、普通の丸いＬＥＤ電球を数個使用した立体置き型式照明器具。
【手続補正書】
【提出日】平成24年11月1日(2012.11.1)
【手続補正１】
【補正対象書類名】実用新案登録請求の範囲
【補正対象項目名】全文
【補正方法】変更
【補正の内容】
【実用新案登録請求の範囲】
【請求項１】
本体部と蓋部分とを有し、内側に複数のＬＥＤ電球を、下から見て少なくとも三方向、四方向、六方向、または八方向、正方形、六角形、八角形、円形のそれぞれの「型」になるように数個づつ普通の丸いＬＥＤ電球を設置した室内照明機器。
【請求項２】
本体部と蓋部分とを有し、内側に複数のＬＥＤ電球を下から見て少なくとも三角形、四角形、六角形、または八角形の頂点の位置に取り付けた天井吊り下げ式照明機器。
【請求項３】
この普通の丸い電球形のＬＥＤ電球を使用したこの考案は、本体とステンドグラス式のカバーをビスで天井に留める普通の丸い電球形の多種多様ＬＥＤ電球照明機器。
例えばステンドグラス式星座形の蟹座型、白鳥座型、さそり座型、こと座型、羊座型、ふたご座型、乙女座型、小熊座型、大熊座型、かんむり座型の内側に星の位置に取り付けた星座型式照明機器。